(57)【要約】【課題】蛍光ランプ用の照明器具への誤装着が起こりにくい直管形ＬＥＤランプ及びそれに用いるランプソケット、並びにそれらを用いる直管形ＬＥＤランプ用照明器具を提供する。【解決手段】直管形ＬＥＤランプ１は、発光ダイオードを収納する直管状の発光管と、発光管の軸方向一端側に設けられた給電用口金３（第１口金）と、軸方向他端側に設けられた接地用口金４（第２口金）とを備える。第１口金には、第１ランプソケットが備える給電用接触子に電気的に接続される２本の口金ピン７ａが設けられ、第２口金には、第２ランプソケットが備える接触子に電気的に接続される端子が設けられている。２本の口金ピン７ａは発光管の軸方向に沿って配置され、且つ、２本の口金ピン７ａの先端側はそれぞれ外側方向へ略直角に突出する。第２口金が備える端子の形状は、発光管の軸方向から見た場合に第２ランプソケットへの装着方向に細長い形状に形成されている。【選択図】図１６
2012009454.tif 000002
【特許請求の範囲】
【請求項１】
内部に発光ダイオードを収納した直管状の発光管と、
前記発光管の軸方向一端側に設けられた給電用の第１口金と、
前記発光管の軸方向他端側に設けられた第２口金とを備え、
前記第１口金には、給電用の第１ランプソケットの給電用接触子に電気的に接続される給電端子が設けられ、
前記第２口金には、第２ランプソケットの接触子に接続される端子が設けられ、
前記給電端子は、前記第１ランプソケットを介して直流電源の正極側及び負極側にそれぞれ接続される２本の口金ピンからなり、
前記２本の口金ピンは前記軸方向に沿って配置され、且つ、前記２本の口金ピンの先端側はそれぞれ外側方向へ略直角に突出しており、
前記端子の形状は、前記軸方向から見た場合に前記第２ランプソケットへの装着方向に細長い形状に形成されたことを特徴とする直管形ＬＥＤランプ。
【請求項２】
請求項１記載の直管形ＬＥＤランプが装着されるランプソケットであって、
前記第１口金が装着される第１口金受け部を備えた給電用の前記第１ランプソケットと、
前記第２口金が装着される第２口金受け部を備えた前記第２ランプソケットとで構成され、
前記第２口金受け部には、前記端子との機械的な保持を行う前記接触子が設けられたことを特徴とするランプソケット。
【請求項３】
前記第１口金受け部には、前記２本の口金ピンが挿入される挿入溝を有し前記発光管の回転に伴って回転させられる回転子と、この回転子が回転させられた際に前記口金ピンに電気的に接続される前記給電用接触子が設けられたことを特徴とする請求項２記載のランプソケット。
【請求項４】
請求項１に記載の直管形ＬＥＤランプと、請求項２または請求項３記載のランプソケットとを備えたことを特徴とする直管形ＬＥＤランプ用照明器具。
【発明の詳細な説明】
【技術分野】
【０００１】
本発明は、直管形ＬＥＤランプ及びそれに用いるランプソケット、並びにそれらを用いる直管形ＬＥＤランプ用照明器具に関するものである。
【背景技術】
【０００２】
従来、家庭用の照明器具や施設用の照明器具として、直管形蛍光ランプを用いた照明器具が広く用いられてきた。
【０００３】
一方、近年、蛍光ランプに比べて消費電力の低い発光ダイオードを用いたＬＥＤランプが普及しつつあり、直管形蛍光ランプを使用する既設の照明器具にも取付可能なＬＥＤランプが、直管形蛍光ランプの代替光源として市場に提供されている。
【０００４】
このようなＬＥＤランプは、直管形蛍光ランプと差し替えが可能なように、直管形蛍光ランプと同じ口金（ＪＩＳ  Ｃ  ７７０９−１に規定されたＧ１３形口金）を用いており、発光管の管径及び管長も直管形蛍光ランプと同じ寸法に形成されていた。したがって、直管形蛍光ランプに対応した照明器具のランプソケットに、直管形蛍光ランプに代えて、ＬＥＤランプをそのまま装着することが可能であった（例えば、特許文献１参照）。
【０００５】
ところで、ＬＥＤランプには、電源回路を内蔵し蛍光ランプ用の点灯回路でそのまま点灯可能なものもあるが、蛍光ランプ用の点灯回路では点灯できず、ＬＥＤランプ用の点灯回路と交換する必要があるものもある。そのため、直管形蛍光ランプを用いる既設の照明器具で、専用の点灯回路を必要とするＬＥＤランプを使用できるように改造する場合、点灯回路をＬＥＤランプ用のものと交換するなどの改造を行っていた。
【先行技術文献】
【特許文献】
【０００６】
【特許文献１】特開２００４−３３５４２６号公報
【発明の概要】
【発明が解決しようとする課題】
【０００７】
上述のように直管形蛍光ランプと、その代替光源であるＬＥＤランプが同じ口金を使用している場合、蛍光ランプ用の照明器具をＬＥＤランプ用に改造した後でも、再び直管形蛍光ランプが装着されたり、他メーカーのＬＥＤランプが装着される可能性がある。また、直管形蛍光ランプ用の点灯回路を備えた照明器具に、蛍光ランプ用の点灯回路では点灯できない直管形ＬＥＤランプが、誤って接続される可能性もあった。
【０００８】
本発明は上記課題に鑑みて為されたものであり、その目的とするところは、蛍光ランプ用の照明器具への誤装着が起こりにくい直管形ＬＥＤランプ及びそれに用いるランプソケット、並びにそれらを用いる直管形ＬＥＤランプ用照明器具を提供することにある。
【課題を解決するための手段】
【０００９】
上記課題を解決するために、本発明の直管形ＬＥＤランプは、内部に発光ダイオードを収納した直管状の発光管と、前記発光管の軸方向一端側に設けられた給電用の第１口金と、前記発光管の軸方向他端側に設けられた第２口金とを備える。前記第１口金には、給電用の第１ランプソケットの給電用接触子に電気的に接続される給電端子が設けられる。前記第２口金には、第２ランプソケットの接触子に接続される端子が設けられる。前記給電端子は、前記第１ランプソケットを介して直流電源の正極側及び負極側にそれぞれ接続される２本の口金ピンからなる。前記２本の口金ピンは前記軸方向に沿って配置され、且つ、前記２本の口金ピンの先端側はそれぞれ外側方向へ略直角に突出している。前記端子の形状は、前記軸方向から見た場合に前記第２ランプソケットへの装着方向に細長い形状に形成されている。
【００１０】
上記の直管形ＬＥＤランプが装着されるランプソケットは、前記第１口金が装着される第１口金受け部を備えた給電用の前記第１ランプソケットと、前記第２口金が装着される第２口金受け部を備えた前記第２ランプソケットとで構成される。前記第２口金受け部には、前記端子との機械的な保持を行う前記接触子が設けられたことを特徴とする。
【００１１】
このランプソケットにおいて、前記第１口金受け部には、前記２本の口金ピンが挿入される挿入溝を有し前記発光管の回転に伴って回転させられる回転子と、この回転子が回転させられた際に前記口金ピンに電気的に接続される前記給電用接触子が設けられたことも好ましい。
【００１２】
また直管形ＬＥＤランプ用照明器具は、上述の直管形ＬＥＤランプと、上述のランプソケットとを備えたことを特徴とする。
【発明の効果】
【００１３】
本発明によれば、発光管の一端側と他端側とで異なる口金が設けられているから、両端に同じ形状の口金を有する直管形蛍光ランプ用の照明器具に、ＬＥＤランプを誤接続する可能性を低減できる。また、両端に同じ形状の口金を有する直管形蛍光ランプと容易に見分けがつき、ＬＥＤランプ及び直管型蛍光ランプが、それぞれに対応していない照明器具に誤接続される可能性をさらに低減できる。
【図面の簡単な説明】
【００１４】
【図１】（ａ）（ｂ）は実施形態１の直管形ＬＥＤランプ及びそれに用いるランプソケットの外観斜視図である。
【図２】同上の直管形ＬＥＤランプ及びランプソケットを示し、（ａ）は給電用の口金及びランプソケットを拡大した外観斜視図、（ｂ）は接地用の口金及びランプソケットを拡大した外観斜視図である。
【図３】同上の直管形ＬＥＤランプおよびランプソケットを用いる照明器具の外観斜視図である。
【図４】同上に用いる給電用のランプソケットを示し、（ａ）は正面図、（ｂ）は上面図、（ｃ）は右側面図である。
【図５】同上に用いる給電用のランプソケットの外観斜視図である。
【図６】同上に用いる接地用のランプソケットを示し、（ａ）は正面図、（ｂ）は上面図、（ｃ）は右側面図である。
【図７】同上に用いる接地用のランプソケットの外観斜視図である。
【図８】同上に用いる接地用のランプソケットの接地用接触子の外観斜視図である。
【図９】（ａ）（ｂ）は実施形態２のＬＥＤランプの要部拡大斜視図である。
【図１０】同上に用いる給電用のランプソケットを示し、（ａ）は正面図、（ｂ）は上面図、（ｃ）は右側面図である。
【図１１】同上に用いる給電用のランプソケットの外観斜視図である。
【図１２】（ａ）（ｂ）は実施形態３のＬＥＤランプの要部拡大斜視図である。
【図１３】同上に用いる給電用のランプソケットを示し、（ａ）は正面図、（ｂ）は上面図、（ｃ）は右側面図である。
【図１４】同上に用いる給電用のランプソケットの外観斜視図である。
【図１５】（ａ）（ｂ）は実施形態４のＬＥＤランプが備える給電用口金及びそれに用いる給電用のランプソケットの外観斜視図である。
【図１６】同上のＬＥＤランプの他の形態を示す外観斜視図である。
【発明を実施するための形態】
【００１５】
以下に、本発明に係る直管形ＬＥＤランプ（以下、ＬＥＤランプと略称する。）及びこのＬＥＤランプが装着されるランプソケットの実施形態を図面に基づいて説明する。
【００１６】
（実施形態１）
図１（ａ）（ｂ）にＬＥＤランプ１の外観斜視図を示す。このＬＥＤランプ１は、透光性を有する合成樹脂材料により直管状に形成された発光管２を備えている。発光管２の軸方向一端側には給電用口金３（第１口金）が設けられ、発光管２の軸方向他端側には接地用口金４（第２口金）が設けられている。
【００１７】
発光管２の内部には、発光管２よりも全長が若干短いプリント基板よりなる実装基板（図示せず）が収納されており、この実装基板の１面には複数個の発光ダイオードが所定の間隔を開けて実装されている。
【００１８】
図２（ａ）は給電用口金３を拡大した要部の斜視図であり、給電用口金３の端面には、径方向における中央部の両側に略半円状に凹んだ凹部６，６が設けられ、中央部には凹部６よりも前方に突出した略直方体状の突出部５が設けられている。この突出部５には、発光管２の中心軸を挟んで対称な位置に、金属材料により丸棒状に形成され、軸方向に向かって突出する２本の口金ピ７，７が設けられている。２本の口金ピン７，７は、発光管２の内部で、例えばリード線を介して上記の実装基板に電気的に接続されている。尚、実装基板に形成された回路では、口金ピン７，７から入力される直流電圧が全波整流器を介して発光ダイオードに供給されており、何れの口金ピン７，７が直流電源の正極側に接続された場合でも、発光ダイオードに順方向電流が流れるようになっている。
【００１９】
一方、図２（ｂ）は接地用口金４を拡大した要部の斜視図であり、接地用口金４の端面は略円板状であって、端面の中心部からは、金属材料により丸棒状に形成され、軸方向に向かって突出する軸部８ａが設けられている。軸部８ａの先端には、軸方向から見た形状がランプソケットへの装着方向を長径方向とする楕円形状に形成された金属製のカム板８ｂが、軸部８ａと一体に設けられており、軸部８ａとカム板８ｂとで接地端子８が構成される。尚、カム板８ｂの長径方向は、２本の口金ピン７，７が並ぶ方向と平行している。
【００２０】
このＬＥＤランプ１が装着されるランプソケットは、給電用口金３が装着される第１口金受け部を備えた給電用のランプソケット１０（第１ランプソケット）と、接地用口金４が装着される第２口金受け部を備えた接地用のランプソケット２０（第２ランプソケット）で構成される。
【００２１】
給電用のランプソケット１０は、図４及び図５に示すように、ボディ１１と、ボディ１１に回転自在に取り付けられた回転子１２と、ボディ１１内に収納された一対の給電用接触子（図示せず）を備えている。尚、給電用のランプソケット１０の説明では、図４（ａ）に示す向きにおいて上下左右の方向を規定し、図４（ｃ）の左側を前側、右側を後側として説明を行う。
【００２２】
ボディ１１は合成樹脂により略直方体状に成形され、その上面（取付状態における下面）は、左右方向の中央部が両側部に比べて上側に凸となるような曲面状に形成されている。ボディ１１の前面には丸穴状に凹んだ凹部１３が開口し、ボディ１１上面の左右方向中央部には、前方に開放されて、凹部１３に連続する挿入溝１４が設けられている。またボディ１１には、凹部１３の底部から前方に向かって突出する円筒状の支持軸１５が突設されており、この支持軸１５の上下両側部には、上記の挿入溝１３の下側位置に溝１５ａ，１５ｂがそれぞれ形成されている。
【００２３】
回転子１２は合成樹脂成形品からなり、支持軸１５が嵌合する軸穴１６ａを有し、軸穴１６ａに支持軸１５を嵌合させることによって支持軸１５の回りに回転自在に配置される略円筒状の筒部１６を備えている。筒部１６の前面は、前後方向においてボディ１１の前面と略同じ位置にあり、筒部１６が図４（ａ）に示す位置に回転した状態で、筒部１６の上下両側部には、前面側に開放された挿入溝１６ｂ，１６ｂがそれぞれ形成されている。また筒部１６の前面には、挿入溝１６ｂ，１６ｂを間にして左右両側に、前方に向かって突出するリブ（凸部）１７，１７が設けられている。リブ１７，１７は内側面（互いに対向する面）が平面に形成され、外側面が筒部１６の回転中心を中心とする円周面に形成されている。尚、２つのリブ１７，１７の間隔は、給電用口金３の突出部５の幅よりも若干大きい寸法に設定されている。またリブ１７の高さ寸法（回転子１２の前面からリブ１７先端までの距離）は、突出部５の高さ寸法（凹部６の前面から突出部５の先端面までの距離）よりは小さい寸法となっている。
【００２４】
ここで、回転子１２が図４（ａ）に示す位置に回転した状態では、挿入溝１４と溝１５ａ，１５ｂと挿入溝１６ｂが一列に並んでおり、挿入溝１４を通して回転子１２の挿入溝１６ｂ内に口金ピン７を挿入したり、外側に移動させることができる。一方、図４（ａ）に示す位置から回転子１２を９０度回転させると、挿入溝１６ｂ，１６ｂが左右方向に並んだ状態となり、挿入溝１６ｂの両端側が凹部１３の周縁部及び支持軸１５の外周面で閉塞されるので、挿入溝１６ｂ内に口金ピン７が保持される。ここにおいて、回転子１２と給電用接触子とで、給電用口金３が装着される第１口金受け部が構成される。
【００２５】
次に、接地用のランプソケット２０について図６及び図７を参照して説明する。尚、接地用のランプソケット２０の説明では、図６（ａ）に示す向きにおいて上下左右の方向を規定し、図６（ｃ）の左側を前側、右側を後側として説明を行う。
【００２６】
接地用のランプソケット２０は、ボディ２１と、ボディ２１内に収納される接地用接触子２２を備えている。
【００２７】
ボディ２１は、合成樹脂により略直方体状に成形され、その上面（取付状態における下面）は、左右方向の中央部が両側部に比べて上側に凸となるような曲面状に形成されている。ボディ２１の上面から前面にかけては、ＬＥＤランプ１の接地端子８が挿入される挿入溝２３が形成されている。ボディ２１の上面において、挿入溝２３の後端側には、接地用口金４に近い側に比べて溝幅が広い幅広部２３ａが設けられており、この幅広部２３ａに接地端子８のカム板８ｂが挿入される。この幅広部２３ａの溝幅は、接地端子８のカム板８ｂの短径寸法よりは大きくなっている。またボディ２１の上面において、挿入溝２３の幅狭部分の溝幅は、軸部８ａの直径よりは大きく、カム板８ｂの短径寸法よりは小さい寸法に設定されている。一方、ボディ２１の前面には、上下方向において、ＬＥＤランプ１を装着させる際に接地端子８が挿入される位置まで、挿入溝２３が形成されている。この挿入溝２３の下端には、接地端子８のカム板８ｂよりも若干大きい楕円形状の開口部２３ｂが形成されている。
【００２８】
接地用接触子２２は、図８に示すように、導電性の良好な金属材料（例えば銅合金）の帯板を曲げ加工して形成される。この接地用接触子２２は、ボディ２１に固定される中央片２２ａと、中央片２２ａの両側縁からそれぞれ上側に突出する接触片２２ｂ，２２ｂと、接触片２２ｂ，２２ｂの先端部からそれぞれ外側に折り曲げられたガイド片２２ｃ，２２ｃを一体に備えている。ここで、各接触片２２ｂは略Ｖ字形に折り曲げられ、上下方向の中間部が両側部よりも外側方向に突出しており、接地用接触子２２は全体として逆Ω字形に形成されている。
【００２９】
この接地用接触子２２は、挿入溝２３の左右両側に接触片２２ｂ，２２ｂが配置されるように、ガイド片２２ｃを上側、中央片２２ａを下側にしてボディ２１内に収納されている。ここにおいて、ボディ２１の挿入溝２３が設けられた部位と接地用接触子２２とで、接地用口金４が装着される第２口金受け部が構成される。
【００３０】
図３は、上述のランプソケット１０，２０を備えた照明器具３０の外観斜視図である。この照明器具３０は、天井面に埋込配設されて使用されるものであり、細長い直方体状の器具本体３１の内部に点灯回路（図示せず）を収納してあり、器具本体３１の長手方向両端部の下側面には、上述したランプソケット１０，２０が、向かい合わせに取り付けられている。而して、ＬＥＤランプ１の両端に設けられた給電用口金３、接地用口金４をそれぞれ給電用のランプソケット１０、接地用のランプソケット２０に装着させることによって、ＬＥＤランプ１が器具本体３１に取り付けられる。尚、図３中の３２は、ＬＥＤランプ１からの光を下側の照明空間に反射する反射板である。
【００３１】
ここで、ＬＥＤランプ１をランプソケット１０，２０に着脱する方法について説明する。
【００３２】
ＬＥＤランプ１をランプソケット１０，２０に装着する際には、給電用口金３をランプソケット１０側、接地用口金４をランプソケット２０側にして、ＬＥＤランプ１を器具本体３１の下方から両ランプソケット１０，２０に近付ける。そして、ランプソケット１０の挿入溝１４内に口金ピン７を挿入させるとともに、ランプソケット２０の挿入溝２３内に接地端子８を挿入させると、給電用口金３の突出部５が一対のリブ１７，１７の間に挿入される。そして、ＬＥＤランプ１を正規の挿入位置まで挿入すると、２本の口金ピン７，７がそれぞれ挿入溝１６ｂ，１６ｂに挿入され、接地用接触子２２が備える接触片２２ｂ，２２ｂの間に接地端子８が挿入された状態となる。この状態で、発光ダイオードが下側を向くように発光管２を９０度回転させると、突出部５がリブ１７，１７を押すことによって、回転子１２が発光管２と共に回転し、口金ピン７，７が支持軸１５の左右両側に配置される。この時、２本の口金ピン７，７は、ボディ１１の内部に配置されている２個の給電用接触子に電気的に接続されて、点灯回路（直流電源）からランプソケット１０を介して発光ダイオードに直流電力が供給される。また、発光管２の回転に伴い、長径方向が左右方向と平行する位置までカム板８ｂが回転することによって、カム板８ｂの長径方向両側部が接触片２２ｂ，２２ｂに接触する。この時、カム板８ｂが接地用接触子２２に電気的に接続されるので、ＬＥＤランプ１が接地される。また、カム板８ｂの長径方向がランプ挿入方向と平行している場合に比べ、カム板８ｂの左右方向における幅寸法が大きくなるので、カム板８ｂの長径方向両側部によって左右の接触片２２ｂが外側に撓められる。したがって、左右の接触片２２ｂの弾性力によってカム板８ｂが機械的に保持されるのである。また、この状態では、口金ピン７，７がそれぞれ挿入溝１６ｂ，１６ｂ内に保持されているから、給電用口金３がランプソケット１０から外れることはない。
【００３３】
一方、ＬＥＤランプ１をランプソケット１０，２０から取り外す際に、発光管２を装着状態から９０度回転させると、挿入溝１４と溝１５ａ，１５ｂと挿入溝１６ｂとが一列に並べられる。この場合、口金ピン７，７を挿入溝１６ｂの外側へ移動させることができ、ＬＥＤランプ１の給電用口金３側を下方へ移動させることによって、口金ピン７，７が挿入溝１４の外側に出る。給電用口金３がランプソケット１０から外れ、発光管２が給電用口金３を下側にして斜めに傾いた状態で、発光管２をランプソケット２０から離れる方向に引っ張ると、接地端子８が開口部２３ｂから外側に出て、ＬＥＤランプ１の取り外しが完了する。ここで、挿入溝２３の端部に設けた開口部２３ｂは接地端子８（カム板８ｂ）よりも大きく、開口部２３ｂに接地端子８（カム板８ｂ）を通すことができる。したがって、ＬＥＤランプ１を取り外す際に、挿入溝２３内で接地端子８を下側に移動させることによって、挿入溝２３の下側開口から接地端子８を外側に抜かなくても、開口部２３ｂから直接外側へ抜き出すことができ、ＬＥＤランプ１の取り外しが容易に行える。
【００３４】
なお、ＬＥＤランプ用のランプソケット１０に蛍光ランプの口金を装着しようとした場合、蛍光ランプの口金の端面にリブ１７，１７が干渉するので、蛍光ランプが誤って装着されることはない。
【００３５】
以上説明したように、本実施形態のＬＥＤランプ１は、発光管２の軸方向一端側に給電用口金３を、軸方向他端側に接地用口金４を備えている。そして、給電用口金３には、給電用のランプソケット１０の給電用接触子に電気的に接続される給電端子（口金ピン７）が設けられ、接地用口金４には、接地用のランプソケット２０の接地用接触子２２に電気的に接続される接地端子８が設けられている。
【００３６】
これにより、発光管２の一端側と他端側とで異なる口金が設けられているから、両端に同じ形状の口金を有する直管形蛍光ランプ用の照明器具に、ＬＥＤランプ１を誤接続する可能性を低減できる。また、両端に同じ形状の口金を有する直管形蛍光ランプと容易に見分けがつき、ＬＥＤランプ１及び直管型蛍光ランプが、それぞれに対応していない照明器具に誤接続される可能性をさらに低減できる。
【００３７】
また、接地端子８が備えるカム板８ｂを軸方向から見た形状は、ランプソケット２０への装着方向に細長い形状に形成されている。
【００３８】
これにより、ランプソケット２０の挿入溝２３にカム板８ｂを挿入する際には、発光管２を９０度回転させた場合に比べて、カム板８ｂの左右方向寸法が小さくなるから、接触片２２ｂ，２２ｂの間にカム板８ｂを挿入する際に必要な力を低減できる。またカム板８ｂを挿入後に発光管２を９０度回転させると、カム板８ｂの左右方向寸法が大きくなって、接触片２２ｂ，２２ｂの撓み量を大きくできるから、接地用接触子２２が接地端子８を保持する力を増大させることができる。
【００３９】
また、ＬＥＤランプ１が装着されるランプソケットは、給電用口金３が装着される第１口金受け部を備えた給電用のランプソケット１０と、接地用口金４が装着される第２口金受け部を備えた接地用のランプソケット２０とで構成される。
【００４０】
これにより、ＬＥＤランプ１が装着される２個のランプソケットは、給電用のランプソケット１０と、接地用のランプソケット２０で構成されるから、両端に同じ形状の口金を有する直管形蛍光ランプが誤装着される可能性を低減できる。
【００４１】
また、給電用口金３の端面には径方向における中央部の両側に凹部６，６が設けられ、中央部に設けられた突出部５に２本の口金ピン７（給電端子）が設けられている。一方、ランプソケット１０の回転子１２には、給電用口金３の凹部６，６に対応する部位にリブ１７，１７が設けられている。
【００４２】
これにより、ランプソケット１０に蛍光ランプの口金を装着しようとした場合、蛍光ランプの口金の端面にリブ１７，１７が干渉するので、蛍光ランプが誤って装着されることはない。
【００４３】
また、ランプソケット１０の第１口金受け部は、口金ピン７が挿入される挿入溝１６ｂを有し発光管２の回転に応じて回転させられる回転子１２と、この回転子１２が回転させられた際に口金ピン７に電気的に接続する給電用接触子とを備えている。
【００４４】
これにより、給電用口金３に設けられた口金ピン７を挿入溝１６ｂに挿入した後、発光管２を回転させることで、電気的な接続と機械的な保持を行うことができる。
【００４５】
また、ランプソケット２０が備える第２口金受け部には、接地端子８との電気的な接続及び機械的な保持を行う接地用接触子２２が設けられている。
【００４６】
これにより、１つの接地用接触子２２で、接地端子８との電気的な接続と機械的な保持の両方が行えるので、接地用口金４を保持するための構成が別途不要である。
【００４７】
また、第２口金受け部には、接地端子８が挿入される挿入溝２３と、この挿入溝２３の溝内に配置されて接地端子８に電気的に接続される接地用接触子２２が設けられ、接地用接触子２２に接地端子８が接触した状態で、接地端子８を回転自在としている。
【００４８】
これにより、発光管２を回転させることで給電用口金３をランプソケット１０に装着させる場合でも、第２口金受け部には回転機構を設ける必要が無く、第２口金受け部の構成を簡単にできる。
【００４９】
また、上記の挿入溝２３には、後端側に、発光管２の軸方向において接地用口金４に近い側に比べて溝幅が広い幅広部２３ａが設けられている。
【００５０】
これにより、溝幅が狭い部分に接地端子８のカム板８ｂを係合させることによって、ＬＥＤランプ１の抜け止めを行うことができる。
【００５１】
また更に、挿入溝２３の終端部には接地端子８よりも大きい開口部２３ｂが設けられている。
【００５２】
これにより、給電用口金３をランプソケット１０から外しておけば、挿入溝２３を通さなくても、開口部２３ｂを通して接地端子８を取り外すことができ、ＬＥＤランプ１の取り外しを容易に行うことができる。
【００５３】
（実施形態２）
本発明の実施形態２を図９〜図１１に基づいて説明する。尚、実施形態１で説明したＬＥＤランプ１及びランプソケット１０，２０と共通する構成要素には同一の符号を付して、その説明は省略する。
【００５４】
実施形態１で説明したＬＥＤランプ１では、給電用口金３の端面において突出部５の左右両側に凹部６が設けられているが、本実施形態では、図９（ａ）に示すように、給電用口金３の端面の中央部のみに突出部５Ａが設けられている。この突出部５Ａは、給電用口金３の端面において回転子１２に対向する領域に収まる大きさに形成されており、突出部５Ａの回りを囲むように、端面の外周には全周に亘って凹部６が設けられている。
【００５５】
図１０及び図１１に、本実施形態の給電用口金３が装着されるランプソケット１０を示す。実施形態１のランプソケット１０では、回転子１２の前面にリブ１７が設けられているのに対して、本実施形態では、ボディ１１の前面において、回転子１２の外周縁に沿って、円弧状に湾曲したリブ（凸部）１８が設けられている。ここで、ランプソケット１０に給電用口金３を装着する際に、給電用口金３の突出部５Ａと干渉しないよう、リブ１８は回転子１２の下半分（施工状態における上半分）に沿って形成されている。またリブ１８の高さ寸法（ボディ１１前面からリブ１８先端までの距離）は、突出部５Ａの高さ寸法（凹部６の前面から突出部５Ａの先端面までの距離）よりは小さい寸法となっている。
【００５６】
このランプソケット１０にＬＥＤランプ１の給電用口金３を装着する場合、口金ピン７，７を挿入溝１４からソケット内に挿入し、ＬＥＤランプ１を正規の挿入位置まで挿入すると、２本の口金ピン７，７がそれぞれ挿入溝１６ｂ，１６ｂに挿入される。この状態で発光ダイオードが下側を向くように発光管２を９０度回転させると、口金ピン７，７が挿入溝１６ｂ，１６ｂの内側面を押すことによって、回転子１２が発光管２と共に回転し、口金ピン７，７が支持軸１５の左右両側に配置される。この時、２本の口金ピン７，７は、ボディ１１の内部に配置されている２個の給電用接触子に電気的に接続されて、点灯回路（直流電源）からランプソケット１０を介して発光ダイオードに直流電力が供給される。尚、ボディ１１に設けられたリブ１８は、突出部５Ａの回りに位置しているので、ＬＥＤランプ１の着脱時に突出部５Ａがリブ１８に干渉することはない。
【００５７】
一方、ランプソケット１０から給電用口金３を取り外す際には、発光管２を装着状態から９０度回転させると、挿入溝１４と溝１５ａ，１５ｂと挿入溝１６ｂが連なった状態に並ぶことになる。この状態で給電用口金３側を下側へ移動させると、口金ピン７，７が挿入溝１４の外側に出るので、実施形態１で説明したように、給電用口金３をランプソケット１０から取り外すことができる。
【００５８】
また、このランプソケット１０に蛍光ランプの口金を装着しようとした場合、蛍光ランプの口金の端面にリブ１８が干渉するので、蛍光ランプが誤って装着されることがない。
【００５９】
尚、上述のＬＥＤランプ１では、給電用口金３の突出部５Ａを直方体状に形成しているが、図９（ｂ）に示すように、突出部５Ｂを、外径寸法が回転子１２の外径寸法以下に設定された円筒状としてもよい。
【００６０】
上述のように直管形ＬＥＤランプにおいて、給電用口金の端面には外周に凹部が設けられ、この凹部で囲まれる中央部に給電端子が設けられることも好ましい。
【００６１】
また、ランプソケットにおいて、第１口金受け部には、給電用口金の外周部分に対応する部位に凸部が設けられることも好ましい。
【００６２】
（実施形態３）
本発明の実施形態３を図１２〜図１４に基づいて説明する。尚、接地端子８の形状以外は実施形態１又は２で説明したＬＥＤランプ１及びランプソケット１０，２０と同様であるので、共通する構成要素には同一の符号を付して、その説明は省略する。
【００６３】
実施形態１で説明したＬＥＤランプ１では、接地端子８のカム板８ｂが軸方向から見て楕円形状に形成されているが、本実施形態では図１２（ａ）に示すように、接地端子８のカム板８ｂが軸方向から見て矩形状に形成されている。
【００６４】
図１３及び図１４は、上述の接地用口金４が装着されるランプソケット２０を示し、このランプソケット２０には、ボディ２１の前面において挿入溝２３の下端側に矩形状に開口する開口部２３ｃが設けられている。この開口部２３ｃは、接地端子８のカム板８ｃよりも若干大きい寸法に形成されており、実施形態１で説明したように開口部２３ｃを通してカム板８ｃを前方に引き抜くことができる。
【００６５】
尚、接地端子８を軸方向から見た形状は矩形状に限定されるものではなく、図１２（ｂ）に示すように、カム板８ｄは、矩形の角に丸みを持たせたような形状に形成されていてもよく、開口部２３ｃより小さければよい。
【００６６】
（実施形態４）
本発明の実施形態３を図１に基づいて説明する。尚、給電用口金３の突出部５及びランプソケット１０のリブ１７以外は実施形態１〜３で説明したＬＥＤランプ１及びランプソケット１０，２０と同様であるから、共通する構成要素には同一の符号を付して、その説明は省略する。
【００６７】
本実施形態では、図１５（ａ）に示すように給電用口金３に設けた突出部５の基部に嵌合凹部５ａが形成されている。また、ランプソケット１０に設けられたリブ１７の先端部に、嵌合凹部５ａと嵌合する嵌合突起１７ａが設けられている。
【００６８】
而して、給電用口金３をランプソケット１０に装着すると、リブ１７の嵌合突起１７ａが、突出部５の嵌合凹部５ａに嵌合することで、軸方向においてＬＥＤランプ１が位置決めされ、ＬＥＤランプ１の抜け止めを行うことができる。
【００６９】
上述のようにランプソケットにおいて、第１口金受け部は、給電端子が挿入される挿入溝を有し発光管の回転に伴って回転させられる回転子と、この回転子が回転させられた際に給電端子に電気的に接続する給電用接触子を備え、給電用口金の凹部に対応する部位に凸部が設けられることも好ましい。
【００７０】
直管形ＬＥＤランプにおいて、給電用口金には、中央部の突出部分の基部に、ランプソケット側の嵌合突起と嵌合する嵌合凹部が設けられることも好ましい。ランプソケットにおいて、凸部の先端部には、給電用口金の突出部分の基部に設けられた嵌合凹部に嵌合する嵌合突起が設けられることも好ましい。
【００７１】
尚、図１５（ｂ）に示すように、突出部５の先端から、軸方向と直交する方向に突出する嵌合突起５ｂを設けるとともに、リブ１７の基部に嵌合突起５ｂが嵌合する嵌合溝１７ｂを設けてもよい。この場合にも、上述と同様、ＬＥＤランプ１の装着時にＬＥＤランプ１を軸方向において位置決めすることができる。
【００７２】
上述のように直管形ＬＥＤランプにおいて、給電用口金には、中央部の突出部分の先端から、軸方向と直交する方向に突出して、ランプソケット側の嵌合溝に嵌合する嵌合突起が設けられることも好ましい。ランプソケットにおいて、凸部の基部には、給電用口金の突出部分の先端に設けられた嵌合突起が嵌合する嵌合溝が設けられることも好ましい。
【００７３】
ところで、上述した各実施形態のＬＥＤランプ１では、給電用口金３の給電端子が丸棒状の口金ピン７で構成されているが、口金ピンの形状は上記の形状に限定されるものではなく、図１６に示すような形状の口金ピンでもよい。図１６に示す口金ピン７ａ，７ａは帯板状の板金を曲げ加工して形成され、ランプ軸方向と直交する方向が法線方向となるように、２本の口金ピン７ａ，７ａは平行に配置されている。そして、２本の口金ピン７ａ，７ａの先端側は略直角に曲げられて、外側方向（中心軸に向かう方向と反対側）に突出している。
【００７４】
このように、口金ピン７ａの先端側は外側方向へ折り曲げられているので、ランプソケット１０に装着した状態では、ランプソケット１０の給電用接触子を口金ピン７ａの曲げ部で抱え込むようにして、口金ピン７ａがランプソケット１０に取着される。したがって、口金ピン７ａの曲げ部が給電用接触子に引っ掛かることで、ＬＥＤランプ１がランプソケット１０から抜けにくくなり、またランプソケット１０から抜けそうになった場合でも、電気的な接続が安定するから、アーク放電が発生しにくくなる。
【００７５】
また、上述した各実施形態のＬＥＤランプ１では、給電用口金３が備える給電端子を２本の口金ピンで構成しているが、２本の口金ピンの代わりに、２極の単頭プラグ（所謂ＤＣプラグ）で給電端子を構成してもよい。この場合は給電用口金３に回転機構を設ける必要はなく、上述した接地用接触子２２と同様の給電用接触子を２極分備えればよい。
【符号の説明】
【００７６】
１  直管形ＬＥＤランプ
２  発光管
３  給電用口金（第１口金）
４  接地用口金（第２口金）
５  突出部
５ａ  嵌合凹部
５ｂ  嵌合突起
６  凹部
７，７ａ  口金ピン（給電端子）
８  接地端子
１０  ランプソケット（第１ランプソケット）
２０  ランプソケット（第２ランプソケット）
１２  回転子（第１口金受け部）
１６ｂ，１６ｂ  挿入溝（第１口金受け部）
１７，１８  リブ（凸部）
１７ａ  嵌合突起
１７ｂ  嵌合溝
２２  接地用接触子（第２口金受け部）
２３  挿入溝（第２口金受け部）
２３ａ  幅広部
２３ｂ  開口部
【図１】
2012009454.tif 000003
【図２】
2012009454.tif 000004
【図３】
2012009454.tif 000005
【図４】
2012009454.tif 000006
【図５】
2012009454.tif 000007
【図６】
2012009454.tif 000008
【図７】
2012009454.tif 000009
【図８】
2012009454.tif 000010
【図９】
2012009454.tif 000011
【図１０】
2012009454.tif 000012
【図１１】
2012009454.tif 000013
【図１２】
2012009454.tif 000014
【図１３】
2012009454.tif 000015
【図１４】
2012009454.tif 000016
【図１５】
2012009454.tif 000017
【図１６】
2012009454.tif 000018